(57)【要約】      （修正有）【課題】乳及び乳製品容器において、光線による容器内容物の変色・劣化を防止させることを課題とし、なおかつ、ラベルが貼られていない部分にも容器内容物に対しての遮光効果があるオーバーキャップを提供する。【解決手段】天面部と側面部からなる何度も繰り返し使用可能なオーバーキャップにおいて、天面部上面もしくは下面に凹凸面（シボ加工）を施すことによって、容器内容物に対しての遮光の効果を得る事ができ、容器内容物の変色・劣化を防止する事を特徴とするオーバーキャップ。【選択図】図２
2005112465.tif 000002
【特許請求の範囲】
【請求項１】
天面部と側面部からなる何度も繰り返し使用可能なオーバーキャップにおいて、天面部上面もしくは下面に凹凸面（シボ加工）を施すことによって、容器内容物に対して遮光の効果を得る事ができ、容器内容物の変色・劣化を防止する事を特徴とするオーバーキャップ。
【請求項２】
前記記載オーバーキャップ天面部上面もしくは下面の凹凸面（シボ加工）の面粗度平均粗さが１．１〜１．６マイクロメートル（以下、μｍ）である事を特徴とする請求項１に記載のオーバーキャップ。
【発明の詳細な説明】
【技術分野】
【０００１】    本発明は、何度も繰り返し使用する事を目的としたオーバーキャップに関する。
【背景技術】
【０００２】    粉ミルクやふりかけ等の容器に使用されているプラスチック製オーバーキャップにお  いて内容物保護の為に遮光性を備える必要性がある場合、その解決方法として着色剤等  の添加剤を使用し、遮光する事が一般的である。また、キャップ天面部にラベルを貼る  ことで遮光を行っているものもある。【０００３】    しかし、乳製品に使用できる包装資材等は、乳及び乳製品の成分規格などに関する省  令（略称、乳等省令）に規定されており、合致しているものでなくてはならない。その  乳及び乳製品の成分規格などに関する省令（略称、乳等省令）には、内容物に直接接触  する部分の材質はポリエチレンでなければならず、そのポリエチレンは無添加でなけれ  ばいけないと規定されている。【０００４】    粉ミルク用オーバーキャップの従来技術としては、容器内容物と接触しないオーバー  キャップ天面部に意匠性や商品としての差別化を行う為、キャップ天面部にラベルを貼  り付ける事やインサート成形方法によってラベルとキャップを一体化する方法等を用い  る事が一般的である。前述した方法によってキャップ天面部にラベルを装着する事によ  って容器内容物に対して遮光の効果を得る事も出来ている。しかしながら、キャップ天  面部にラベルを装着する目的は、容器内容物に対する遮光が目的でない為、キャップ天  面部全面を覆うようにラベルが装着されていない。というのも、キャップ天面部全面に  隙間なくラベルを装着する事は、キャップとラベルを装着する際にそれぞれの位置を決  めて装着する事は技術的な難易度が高い。また、キャップ天面部には運送時や販売時に  容器同士を積み重ね合わせる為にスタック用突起をキャップ天面部に設けている事があ  り、この突起によってキャップ天面部にラベルを貼り付ける事やインサート成形方法に  よってラベルと一体化させる事が難しく、完全に遮光することが出来ていない。
【発明の開示】
【発明が解決しようとする課題】
【０００５】    しかしながら、以上の従来技術によれば、乳及び乳製品の成分規格などに関する省令  の衛生基準（略称、乳等省令）に適合させたオーバーキャップでは、遮光する事が目的  でないキャップ天面部に設けられたラベルが副産物的に一部だけの遮光の効果をもたら  せているだけで、ラベルを技術的な面や形状的にもオーバーキャップ全体に覆い被せる  ことが出来ず、ラベルが貼られていない部分が生じており、その部分を遮光する事が必  要であった。【０００６】    そこで、本発明は乳及び乳製品の成分規格などに関する省令の衛生基準（略称、乳等  省令）に適合させたオーバーキャップで光線による容器内容物の変色・劣化を防止させ  ることを課題とし、なおかつ、ラベルが貼られていない部分にも容器内容物に対しての  遮光効果があるオーバーキャップを提供する事を課題とする。
【課題を解決するための手段】
【０００７】    天面部と側面部からなる何度も繰り返し使用可能なオーバーキャップにおいて、天面  部上面もしくは下面に凹凸面（シボ加工）を施すことによって、容器内容物に対しての  遮光の効果を得る事ができ、容器内容物の変色・劣化を防止する事を特徴とするオーバ  ーキャップ。具体的にはオーバーキャップ天面部上面もしくは下面の凹凸面（シボ加工  ）の面粗度平均粗さが１．１〜１．６μｍの細かい凹凸により光がオーバーキャップ天  面部を透過する際に乱反射させることによって達成することが出来る。
【発明の効果】
【０００８】    以上の内容で容器内容物の遮光性を向上させることができ、以下の方法で天面部の上  面もしくは下面の凹凸面（シボ加工）による遮光性の効果を光線透過率で表す事が可能  で、その対策を実証する事が出来る。光線透過率の測定はオーバーキャップに光を投射  し、透過した光の量を百分率で測定するもので、例えば光を遮へいするオーバーキャッ  プが無い時の光の透過率は１００％である。すなわち、光の透過率が低ければ低いほど  、光を遮へいしていると言え、遮光性を光線透過率の数値で判断する事ができ、本発明  は効果があると言える。
【発明を実施するための最良の形態】
【０００９】    本発明の重要点であるシボ加工による光の遮へい効果を説明する為、シボ加工してい  るオーバーキャップとシボ加工していないオーバーキャップを以下の光線透過率測定試  験を実施し、本発明の効果を具体的に説明する。光線透過率測定はオーバーキャップに  光を投射し、透過した光の量を百分率で測定するものである。【００１０】    試験方法については、オーバーキャップを切り取り、直径２０ミリメートル（以下、  ｍｍ）の穴のあいた試料ホルダーにセットし３８０−７８０ナノメートル（以下、ｎｍ  ）での光線透過率測定をオーバーキャップの３箇所で測定を行い、その平均値を表１に  記載した。【００１１】
【表１】
2005112465.tif 000003
【００１２】    オーバーキャップの無い時の光の透過量を１００％と設定し、シボ加工していないオ  ーバーキャップの光線透過率は４０．５７％であった。一方のシボ加工しているオーバ  ーキャップの光線透過率は１５．１０％であり、シボ加工による遮光効果は２５．４７  ％であった。また、オーバーキャップ天面にラヘルを貼る事によって遮光効果は更に向  上させることが出来る。
【実施例】
【００１３】    以下に、本発明の実施例を図面１、２に基づいて説明する。【００１４】    オーバーキャップの側面２の下部内周に凸部３が形成されており、該凸部３は容器４  の容器口部５と係合している。また、前記オーバーキャップの側面２の下端周囲には薄  肉部からなる切り取り部６を介して開封ベルト７が連設してあり、摘み片８を引っ張っ  て開封ベルト７を切り取る事ができ、悪戯等による改ざん防止機能をつける事も出来る  。【００１５】    オーバーキャップの天面１の上面もしくは下面には面粗度平均粗さが１．１〜１．６  μｍである凹凸を天面部上面もしくは下面に無造作につけるシボ加工（梨地加工）を施  している。面粗度の評価方法は試料凹凸面に荷重０．１ｇの試験針を面に接触させ、決  められた評価長さを一定速度で引きその変化量をデータ処理し数値化したものである。【００１６】    前記において容器口部５に被冠してあるオーバーキャップの開封ベルト７の摘み片８  を引っ張るとオーバーキャップと開封ベルト７とを連設する肉薄部が切断され、開封ベ  ルト７が除かれるのでオーバーキャップを容器口部５から外す事が出来る。この開封ベ  ルト７を切断しない限り、オーバーキャップは外す事が出来ず不正な開封を防止する事  が出来る。【００１７】    また、開封ベルト７を外すと図３のようになり、何度も繰り返し使用する事が出来る  。
【産業上の利用可能性】
【００１８】    悪戯等による改ざん防止の機能として引きちぎり部つきのスカートで開封されたかど  うかを判断する事が出来る機能をつけたオーバーキャップにも適用する事が出来る。
【図面の簡単な説明】
【００１９】
【図１】本発明の一実施形態のオーバーキャップの平面図
【図２】図１記載オーバーキャップの断面図及び容器との嵌合図
【図３】本発明の一実施形態のオーバーキャップと容器との嵌合図
【符号の説明】
【００２０】１  天面部
２  側面部
３  凸部
４  容器
５  容器口部
６  切り取り部
７  開封ベルト
８  摘み片
９  凹凸面（シボ加工）
【図１】
2005112465.tif 000004
【図２】
2005112465.tif 000005
【図３】
2005112465.tif 000006